(57)【要約】【課題】  リフレクターを用いた間接照明の発光装置で、主としてＬＥＤ部が着脱容易な発光装置を提供する。【解決手段】  放熱板上に固定された発光ダイオードと、前記放熱板を設置させる設置板と、その設置板から一体となって複数の足が突出されてその足部の先が外部と固定されており、前記放熱板と前記設置板とは樹脂若しくは金属からなる着脱可能部材により挟まれた状態で固定されている。【選択図】    図１
2008071644.tif 000002
【特許請求の範囲】
【請求項１】
放熱板上に固定された発光ダイオードと、前記放熱板を設置させる設置板と、その設置板から一体となって複数の足が突出されてその足部の先が外部と固定されており、
前記放熱板と前記設置板とは樹脂若しくは金属からなる着脱可能部材により挟まれた状態で固定されていることを特徴とする発光装置。
【請求項２】
前記放熱板および前記設置板は金属からなることを特徴とする請求項１に記載の発光装置。
【請求項３】
前記着脱可能部材の放熱板と設置板との固定部の形状は、ほぼ断面コの字の形状を有し、かつコの字上部の平面積が放熱板の面積の１／３以上を覆う形状を有し、さらにコの字下部でフック状の形状により、設置板を挟んでいることを特徴とする請求項１に記載の発光装置。
【請求項４】
前記フック状の先端部は設置板平面とほぼ同一面か、それよりも下にあることを特徴とする請求項３に記載の発光装置。
【発明の詳細な説明】
【技術分野】
【０００１】
本発明は、発光ダイオードを用いた発光装置に関する。
【背景技術】
【０００２】
発光ダイオード（以下「ＬＥＤ」と記す）を用いた発光装置は小型で消費電力も少なく耐用年数も長いので、液晶のバックライトや車載用など幅広い分野で使用されている。通常ＬＥＤは砲弾型ＬＥＤのように、ＬＥＤダイスが載置され、レンズ形状を有する面側から発光を観測する直接照明型の使用がほとんどである。
一方、意匠登録１２５３９１０に開示されるように、レンズ形状の前に半球状のリフレクターを有し、そのリフレクターで反射させるいわゆる間接照明型の小型発光装置も知られている。
【発明の開示】
【発明が解決しようとする課題】
【０００３】
しかしながら、ねじ式であると着脱する際に足と足の狭い隙間に指、治具の先をつっこんで回さざるを得ず、非常に手間がかかる。また、仮に体積の大きな円筒式を有する固定部材であると、リフレクター側に設置すると固定部材が陰になりやすい。
【０００４】
本発明は、上記の問題点を解決すべくなされたもので、主としてＬＥＤ部が着脱容易な発光装置を提供するにある。
【課題を解決するための手段】
【０００５】
本発明の発光装置は放熱板上に固定された発光ダイオードと、前記放熱板を設置させる設置板と、その設置板から一体となって複数の足が突出されてその足部の先が外部と固定されており、前記放熱板と前記設置板とは樹脂若しくは金属からなる着脱可能部材により挟まれた状態で固定されていることを特徴とする。
また本発明の発光装置は、前記放熱板および前記設置板は金属からなることを特徴とする。
【０００６】
さらにまた、本発明の発光装置では、前記着脱可能部材の放熱板と設置板との固定部の形状は、ほぼ断面コの字の形状を有し、かつコの字上部の平面積が放熱板の面積の１／３以上を覆う形状を有し、さらにコの字下部でフック状の形状により、設置板を挟んでいることを特徴とする。
【発明の効果】
【０００７】
本発明の発光装置によれば、放熱板状に固定されたLEDと、設置板とが樹脂、金属からなる着脱可能部材で挟まれた状態であるので、足と足との間に手、治具等を入れることなく簡単に交換可能とできる。
また、放熱板、設置板を両方金属とすれば、LEDの発熱を放熱板設置板を通じ更に足を通って外部に効率よく放熱できる。
さらにまた、前記着脱可能部材の放熱板と設置板との固定部の形状は、ほぼ断面コの字の形状を有し、かつコの字上部の平面積が放熱板の面積の１／３以上を覆う形状を有し、さらにコの字下部でフック状の形状により、設置板を挟んでいることにより、確実に放熱板と設置板とを固定でき、部分的に挟んでいるので更に着脱容易となる。
放熱板の面積はLED断面積の６倍以下、更に好ましくは５倍以下とすることが望ましい。６倍よりも大きいと放熱板が陰となり、リフレクターの反射を邪魔する傾向にある。なお、ＬＥＤ断面積とはＬＥＤチップが載置されているパッケージの断面積を言う。
【発明を実施するための最良の形態】
【０００８】
図１は本発明の発光装置のＬＥＤ部分を拡大して示す部分斜視図である。放熱板１上に固定された発光ダイオード１１は、前記放熱板１を設置させる設置板２と、その設置板２から一体となって複数の足３が突出しており、その足部の先が外部と固定されている。通常足部の先はリフレクターと接続されて固定されているが、本発明の場合特にリフレクターはあってもなくても良い。そして、前記放熱板１と前記設置板２とは樹脂もしくは金属からなる着脱可能部材４により挟まれた状態で外部から固定されている。この着脱可能部材４は外部から放熱板１と設置板２とを挟んだ状態で固定しているので、特にＬＥＤを回転させることなく、交換可能であり、また設置板２外側から、ピンセット等で引っかけ部を外すだけで簡単にＬＥＤが交換できる。
放熱板１と設置板２とは密着していることが望ましい。密着していることによりＬＥＤの発熱は設置板２に伝わり足部３を通って放熱される。両方が同一の金属若しくは設置板２が放熱板１よりも熱伝導率の高い金属からなっていると放熱効果は更に高まる。
図２は図１のＬＥＤ部分の形状を示す断面図である。図２に示すように、着脱可能部材４における放熱板１と設置板２との固定部の形状は、ほぼ断面コの字の形状有する構造を有しており、さらにコの字下部でフック状の形状により、設置板を挟んでいる。このようにフック状の形状とすることで、先を引っかけた構造となり、先に述べたように引っかけ部を外すだけで簡単に取り外し可能となる。
さらに、図２に示すようにフックを曲げた部分の先が設置板２平面とほぼ同一面か、それよりも下にあることによって設置板側から見た際に凸部無くなり美観にも優れている。  図３は図１のＬＥＤ部分をＬＥＤ１１側から見た平面図である。着脱可能部材のコの字上部の平面積が放熱板２の面積の１／３以上を覆う形状を有していれば、確実に放熱板のついたＬＥＤを固定することが可能である。
本発明の請求項３の構成によると、引っかけたフック部分を設置板側としている。このため外部から簡単にＬＥＤを交換可能とできる。逆にフック部分が放熱板側にあると取り外しの際に足の間から治具、ピンセット等を入れなければならないので、作業上少々手間がかかる傾向にある。
図４は本発明の発光装置をリフレクター５に設置した状態を示している。このようにリフレクターに本発明の発光装置を設置した場合は、放熱板１、設置板２が陰となるので、放熱板の面積はLED断面積の６倍以下、更に好ましくは５倍以下とすることが望ましい。
【産業上の利用可能性】
【０００９】
本発明によると、間接照明を利用した手術用照明、後一般用照明等幅広く利用可能である。特にリフレクターを利用した照明では足部の間隔が狭いので交換が難しかったが、着脱可能な部材で挟むように固定しているので簡単に取り外すことが可能となる。
【図面の簡単な説明】
【００１０】
【図１】本発明の発光装置のＬＥＤ部分を拡大して示す部分斜視図。
【図２】図１のＬＥＤ部分の形状を示す断面図。
【図３】図１のＬＥＤ部分をＬＥＤ１１側から見た平面図。
【図４】本発明の発光装置をリフレクターに設置した状態を示す図。
【符号の説明】
【００１１】
１・・・放熱板、１１・・・発光ダイオード、２・・・設置板、３・・・足、４・・・着脱可能部材、５・・・リフレクター
【図１】
2008071644.tif 000003
【図２】
2008071644.tif 000004
【図３】
2008071644.tif 000005
【図４】
2008071644.tif 000006